(57)【要約】【課題】サーバの設置スペースを最適な空調環境とすることができ、サーバ等の熱源の故障や劣化を防ぐことができる空調システムを提供する。【解決手段】空調システム１は、室内機２ａ〜２ｃと、予測部４６を有する監視用コンピュータ４と、空調コントローラ３とを備える。室内機２ａ〜２ｃは、空調対象空間である建物ＲＡ内に対し設置され、空調運転を行う。監視用コンピュータ４の予測部４６は、室内機２ａ〜２ｃが空調運転を行っている時に、建物ＲＡにおける温度ムラ及び／又は気流溜まりを予測する。空調コントローラ３は、監視用コンピュータ４の予測部４６の予測結果に基づいて、室内機２ａ〜２ｃを制御する。【選択図】図７
2010025432.tif 000002
【特許請求の範囲】
【請求項１】
空調対象空間（ＲＡ）に設置され、空調運転を行う空調部（２ａ〜２ｄ，１０２ａ〜１０２ｄ，２０２ａ〜２０２ｄ）と、
前記空調部（２ａ〜２ｄ，１０２ａ〜１０２ｄ，２０２ａ〜２０２ｄ）が前記空調運転を行っている時に、前記空調対象空間（ＲＡ）における温度ムラ及び／又は気流溜まりを予測する予測部（４６，１４６，２４６）と、
前記予測部（４６，１４６，２４６）の予測結果に基づいて、前記空調部（２ａ〜２ｄ，１０２ａ〜１０２ｄ，２０２ａ〜２０２ｄ）を制御する制御部（３，１０３，２０３）と、
を備える、空調システム（１，１０１，２０１）。
【請求項２】
前記予測部（４６，１４６，２４６）は、前記空調対象空間（ＲＡ）内の１以上の所定箇所における前記温熱情報に基づいて、前記空調対象空間（ＲＡ）における温度ムラ及び／又は気流溜まりを予測する、
請求項１に記載の空調システム（１，１０１，２０１）。
【請求項３】
前記所定箇所には、前記空調対象空間（ＲＡ）内に設置された熱源（ＳＡ１〜ＳＡ４）の位置又はその付近が含まれる、
請求項２に記載の空調システム（１，１０１，２０１）。
【請求項４】
前記空調対象空間（ＲＡ）内に設置された前記空調部（２ａ〜２ｄ，１０２ａ〜１０２ｄ，２０２ａ〜２０２ｄ）の位置及び前記空調対象空間（ＲＡ）内に設置された前記熱源（ＳＡ１〜ＳＡ４）の位置の少なくとも１つを記憶する記憶部（４４，１４４，２４４）、
を更に備え、
前記予測部（４６，１４６，２４６）は、前記空調部（２ａ〜２ｄ，１０２ａ〜１０２ｄ，２０２ａ〜２０２ｄ）の位置及び前記熱源（ＳＡ１〜ＳＡ４）の位置の少なくとも１つに更に基づいて、前記空調対象空間（ＲＡ）における温度ムラ及び／又は気流溜まりを予測する、
請求項３に記載の空調システム（１，１０１，２０１）。
【請求項５】
前記予測部（４６，１４６，２４６）は、前記空調部（２ａ〜２ｄ，１０２ａ〜１０２ｄ，２０２ａ〜２０２ｄ）の現在の設定温度、風量及び風向の少なくとも１つに更に基づいて、前記空調対象空間（ＲＡ）における温度ムラ及び／又は気流溜まりを予測する、
請求項４に記載の空調システム（１，１０１，２０１）。
【請求項６】
前記記憶部（４４，２４４）は、前記温熱情報、前記空調部（２ａ〜２ｄ，２０２ａ〜２０２ｄ）の設定温度、風量及び風速の少なくとも１つを更に記憶可能であって、
前記予測部（４６，２４６）により新たに予測された結果を、前記記憶部（４４，２４４）が記憶している前記温熱情報、前記空調部（２ａ〜２ｄ，２０２ａ〜２０２ｄ）の設定温度、風量及び風速の少なくとも１つに基づいて補正する補正部（４７，２４７）、
を更に備える、
請求項５に記載の空調システム（１，２０１）。
【請求項７】
前記空調対象空間（ＲＡ）内に設置された熱源（ＳＡ１〜ＳＡ４）の近傍に設けられ、前記温熱情報を検知する温熱情報検知部（５ａ〜５ｄ，２０５ａ〜２０５ｄ）、
を更に備え、
前記記憶部（４４，２４７）は、前記空調対象空間（ＲＡ）内に設けられた前記温熱情報検知部（５ａ〜５ｄ，２０５ａ〜２０５ｄ）の位置を更に記憶し、
前記予測部（４６，２４６）は、前記温熱情報検知部（５ａ〜５ｄ，２０５ａ〜２０５ｄ）の位置に更に基づいて、前記空調対象空間（ＲＡ）における温度ムラ及び／又は気流溜まりを予測する、
請求項４〜６のいずれかに記載の空調システム（１，２０１）。
【請求項８】
前記記憶部（１４４）は、前記温熱情報、前記空調部（１０２ａ〜１０２ｄ）の設定温度、風量及び風速の少なくとも１つを更に記憶可能であって、
前記予測部（１４６）は、
前記記憶部（１４４）が記憶している前記温熱情報から、前記熱源（ＳＡ１〜ＳＡ４）における発熱量の経時的変化を割り出し、
現在における前記温熱情報と割り出した前記発熱量の経時的変化とに基づいて、発熱量が増加するであろう前記熱源（ＳＡ１〜ＳＡ４）を更に予測する、
請求項５に記載の空調システム（１０１）。
【請求項９】
前記温熱情報検知部（２０５ａ〜２０５ｄ）により検知された前記温熱情報が前回検知された前記温熱情報と異なっている場合、前記予測部（２４６）による予測結果と今回検知された前記温熱情報とに基づいて前記空調対象空間（ＲＡ）の環境の変化が現在の前記空調部（２０２ａ〜２０２ｄ）の空調能力で対応可能か否かを判断する判断部（２４９）と、
前記空調対象空間（ＲＡ）の環境の変化が現在の前記空調部（２０２ａ〜２０２ｄ）の空調能力で対応不可能と前記判断部（２４９）が判断した場合、その旨を報知する報知部（２４２）と、
を更に備え、
前記制御部（２０３）は、前記空調対象空間（ＲＡ）の環境の変化が現在の前記空調部（２０２ａ〜２０２ｄ）の空調能力で対応可能と前記判断部（２４９）が判断した場合、前記予測部（２４６）の予測結果に基づいて前記空調部（２０２ａ〜２０２ｄ）を制御する、
請求項７に記載の空調システム（２０１）。
【発明の詳細な説明】
【技術分野】
【０００１】
本発明は、空調システムに関する。
【背景技術】
【０００２】
近年、複数のサーバの設置スペースを有効利用するため、ラックマウントサーバやブレードサーバ等のように、個々のサーバが密集して設置されることがある。また、このようなサーバの設置スペースには、例えば天井に室内機（即ち空調部）が配置されており、室内機がサーバの設置スペースについて空調運転を行う空調システムが構築されている。
【０００３】
尚、サーバの設置スペースに構築される空調システムとしては、例えば特許文献１に示されるように、天井から吊り下げて連結されたダクトの吸気口をサーバラックに配設すると共に、ダクトの排出口を室内機の吸気部に位置させたものがある。この空調システムによると、サーバラック付近の空気は、吸気口を介してダクトに吸い込まれると室内機に送られ、室内機で冷却された後サーバの設置スペースに送られるようになる。
【特許文献１】特開２００８―５１４７５号公報
【発明の開示】
【発明が解決しようとする課題】
【０００４】
ところで、サーバは、サーバに含まれるマイクロプロセッサ等が処理を行っている状態にあると、発熱する。特に、サーバの負荷が高いとサーバの発熱量は増す。そのため、密集して設置されたサーバの数が多ければ多い程サーバ付近の温度は上昇する。しかしながら、サーバの設置スペースに配置された室内機を単に空調運転させるだけでは、サーバ付近を特に集中して冷却させることは困難となる。
【０００５】
また、サーバ付近の温度が高温である状態が保たれると、サーバは、故障や劣化してしまう恐れがある。
【０００６】
そこで、本発明は、サーバの設置スペースを最適な空調環境とすることができ、サーバ等の熱源の故障や劣化を防ぐことができる空調システムの提供を目的とする。
【課題を解決するための手段】
【０００７】
発明１に係る空調システムは、空調部と、予測部と、制御部とを備える。空調部は、空調対象空間に設置され、空調運転を行う。予測部は、空調部が空調運転を行っている時に、空調対象空間における温度ムラ及び／又は気流溜まりを予測する。制御部は、予測部の予測結果に基づいて、空調部を制御する。
【０００８】
この空調システムによると、空調対象空間における温度ムラ及び／又は気流溜まりが予測され、その予測結果に基づいて、例えば熱源であるサーバ付近に集中して空調空気が吹き出されるように、空調部の吹き出し口から吹き出される空調空気の温度や風速が制御される。これにより、空調対象空間には最適な空調環境が提供され、空調対象空間に設置されたサーバ等の熱源の故障や劣化を防ぐことができる。
【０００９】
発明２に係る空調システムは、発明１に係る空調システムであって、予測部は、空調対象空間内の１以上の所定箇所における温熱情報に基づいて、空調対象空間における温度ムラ及び／又は気流溜まりを予測する。
【００１０】
温熱情報としては、空調対象空間内の温度や湿度、サーバの消費電力等が挙げられる。この空調システムによると、上記温熱情報に基づいて空調対象空間における温度ムラ及び／又は気流溜まりが予測されるため、実際の温度ムラや気流溜まりに近い予測結果が得られるようになる。従って、より最適な空調環境を提供することができる。
【００１１】
発明３に係る空調システムは、発明２に係る空調システムであって、所定箇所には、空調対象空間内に設置された熱源の位置又はその付近が含まれる。
【００１２】
熱源としては、主として空調対象空間内に設置された熱源（具体的には、サーバ）が挙げられるが、更に詳細にはサーバ内のマイクロプロセッサやメモリ、ＨＤＤ等が挙げられる。この空調システムによると、熱源の位置またはその付近の温熱情報を用いて温度ムラ及び／又は気流溜まりが予測されるため、実際により近い予測結果が得られるようになる。
【００１３】
発明４に係る空調システムは、発明３に係る空調システムであって、記憶部を更に備える。記憶部は、空調対象空間内に設置された空調部の位置、及び空調対象空間内に設置された熱源の位置の少なくとも１つを記憶する。そして、予測部は、空調部の位置及び熱源の位置の少なくとも１つに更に基づいて、空調対象空間における温度ムラ及び／又は気流溜まりを予測する。
【００１４】
この空調システムによると、空調対象空間における温度ムラや気流溜まりは、温熱情報だけではなく、更に空調部の位置及び熱源の位置の少なくとも１つに基づいて予測される。そのため、実際の温度ムラ及び気流溜まりにより近い予測結果が得られるようになる。
【００１５】
発明５に係る空調システムは、発明４に係る空調システムであって、予測部は、空調部の現在の設定温度、風量及び風向の少なくとも１つに更に基づいて、空調対象空間における温度ムラ及び／又は気流溜まりを予測する。
【００１６】
この空調システムによると、空調対象空間における温度ムラや気流溜まりは、温熱情報や空調部の位置、熱源の位置だけではなく、更に空調部の現在の設定温度、風量及び風向の少なくとも１つに基づいて予測される。そのため、空調部による空調運転の温熱情報等への影響も考慮して、温度ムラ及び気流溜まりの予測を行うことができる。
【００１７】
発明６に係る空調システムは、発明５に係る空調システムであって、記憶部は、温熱情報、空調部の設定温度、風量及び風速の少なくとも１つを更に記憶可能である。そして、空調システムは、補正部を更に備える。補正部は、予測部により新たに予測された結果を、記憶部が記憶している温熱情報、空調部の設定温度、風量及び風速の少なくとも１つに基づいて補正する。
【００１８】
この空調システムによると、予測部により新たに予測された結果は、過去に温度ムラや気流溜まりを予測する際に用いられた各種情報に基づいて補正がなされる。従って、過去の各種情報を考慮してより適切な予測を行うことができ、最適な空調環境を提供することができる。
【００１９】
発明７に係る空調システムは、発明４〜６のいずれかに係る空調システムであって、温熱情報検知部を更に備える。温熱情報検知部は、空調対象空間内に設置された熱源の近傍に設けられ、温熱情報を検知する。記憶部は、空調対象空間内に設けられた温熱情報検知部の位置を更に記憶する。そして、予測部は、温熱情報検知部の位置に更に基づいて、空調対象空間における温度ムラ及び／又は気流溜まりを予測する。
【００２０】
この空調システムによると、温熱情報検知部は、熱源近傍の設置条件にあわせて自由に設置されると共に、熱源付近の温熱情報を検知することができる。更に、空調対象空間における温度ムラや気流溜まりは、温熱情報検知部が設けられた位置も考慮して予測されるようになる。
【００２１】
発明８に係る空調システムは、発明５に係る空調システムであって、記憶部は、温熱情報、空調部の設定温度、風量及び風速の少なくとも１つを更に記憶可能である。そして、予測部は、記憶部が記憶している温熱情報から、熱源における発熱量の経時的変化を割り出す。更に、予測部は、現在における温熱情報と割り出した発熱量の経時的変化とに基づいて、発熱量が増加するであろう熱源を更に予測する。
【００２２】
この空調システムによると、過去の温熱情報の経時的変化に基づいて、これから発熱量が高くなるであろう熱源が更に予測される。これにより、例えば、予測された熱源を集中的に冷却するように空調部を制御することができ、発熱量の増加により熱源周辺の温度が局所的に上昇するのを未然に防ぐことができる。
【００２３】
発明９に係る空調システムは、発明７に係る空調システムであって、判断部と、報知部とを更に備える。判断部は、温熱情報検知部により検知された温熱情報が、前回検知された温熱情報と異なっている場合、予測部による予測結果と今回検知された前記温熱情報とに基づいて、空調対象空間の環境の変化が現在の空調部の空調能力で対応可能か否かを判断する。報知部は、空調対象空間の環境の変化が現在の空調部の空調能力で対応不可能と判断部が判断した場合、その旨を報知する。そして、制御部は、空調対象空間の環境の変化が現在の空調部の空調能力で対応可能と判断部が判断した場合、予測部の予測結果に基づいて、空調部を制御する。
【００２４】
この空調システムによると、空調対象空間の環境の変化が現在の空調部の空調能力では対応不可能である場合、報知部により空調部が対応不可能である旨が報知されるため、空調システムのユーザは、その旨を知ることができる。また、空調対象空間の環境の変化が現在の空調部の空調能力で対応可能である場合には、予測結果に基づいて空調部の吹き出し口から吹き出される空調空気の温度や風速が制御されるため、空調対象空間は、空調部の空調能力の範囲内で確実に最適な空調環境となることができる。
【発明の効果】
【００２５】
発明１に係る空調システムによると、最適な空調環境を提供し、空調対象空間に設置されたサーバ等の熱源の故障や劣化を防ぐことができる。
【００２６】
発明２に係る空調システムによると、より最適な空調環境を提供することができる。
【００２７】
発明３に係る空調システムによると、熱源の位置またはその付近の温熱情報を用いて温度ムラ及び／又は気流溜まりが予測されるため、実際により近い予測結果が得られるようになる。
【００２８】
発明４に係る空調システムによると、空調対象空間における温度ムラや気流溜まりは、温熱情報だけではなく、更に空調部の位置及び熱源の位置の少なくとも１つに基づいて予測されるため、実際の温度ムラ及び気流溜まりにより近い予測結果が得られるようになる。
【００２９】
発明５に係る空調システムによると、空調部による空調運転の温熱情報等への影響も考慮して、温度ムラ及び気流溜まりの予測を行うことができる。
【００３０】
発明６に係る空調システムによると、過去の各種情報を考慮してより適切な予測を行うことができ、最適な空調環境を提供することができる。
【００３１】
発明７に係る空調システムによると、温熱情報検知部は、熱源近傍の設置条件にあわせて自由に設置されると共に、熱源付近の温熱情報を検知することができる。更に、空調対象空間における温度ムラや気流溜まりは、温熱情報検知部が設けられた位置も考慮して、予測されるようになる。
【００３２】
発明８に係る空調システムによると、例えば、予測された熱源を集中的に冷却するように空調部を制御することができ、発熱量の増加により熱源周辺の温度が局所的に上昇するのを未然に防ぐことができる。
【００３３】
発明９に係る空調システムによると、空調対象空間の環境の変化が現在の空調部の空調能力では対応不可能である場合、空調システムのユーザは、その旨を知ることができる。また、空調対象空間の環境の変化が現在の空調部の空調能力で対応可能である場合、空調対象空間は、空調部の空調能力の範囲内で確実に最適な空調環境となることができる。
【発明を実施するための最良の形態】
【００３４】
以下、本発明に係る空調システムについて、図面を参照しつつ詳細に説明する。
【００３５】
＜第１実施形態＞
（１）空調システムの概要
図１は、本発明の第１実施形態に係る空調システム１の構成を概略的に示す図である。空調システム１は、空調対象空間である建物ＲＡ内に設置されている複数の室内機２ａ，２ｂ，２ｃ，２ｄ・・・（空調部に相当。以下、室内機２ａ〜２ｄと記載する）を、空調コントローラ３（制御部に相当）で統括して制御するシステムである。また、空調システム１は、建物ＲＡ内の温度や湿度等である環境状態を、監視用コンピュータ４により監視することができ、その時々の建物ＲＡ内の環境状態に応じて各室内機２ａ〜２ｄを制御することができる。
【００３６】
このような空調システム１は、図１に示すように、主として、複数の室内機２ａ〜２ｄ、空調コントローラ３、監視用コンピュータ４、及びセンサ５ａ，５ｂ，５ｃ，５ｄ・・・（温熱情報検知部に相当。以下、センサ５ａ〜５ｄと記載する）を備える。
【００３７】
室内機２ａ〜２ｄは、４方向へ空気を吹き出すことができる天井設置型の室内機であって、図２に示すように建物ＲＡ内に４つ設けられており、建物ＲＡ内について空調運転を行う。空調コントローラ３は、建物ＲＡ内の壁に設けられており、配線によって各室内機２ａ〜２ｄと通信可能に接続されている。監視用コンピュータ４は、建物ＲＡとは別の建物に設置されている。監視用コンピュータ４とセンサ５ａ〜５ｄ及び空調コントローラ３との間には、イーサネット（登録商標）が構築されており、監視用コンピュータ４は、ＨＵＢ６を介して各センサ５ａ〜５ｄ及び空調コントローラ３と通信することができる。センサ５ａ〜５ｄは、後述するサーバＳＡ１〜ＳＡ４付近に設けられている。
【００３８】
ここで、本実施形態に係る建物ＲＡ内には、図２に示すように、複数のサーバＳＡ１，ＳＡ２，ＳＡ３，ＳＡ４・・・（以下、サーバＳＡ１〜ＳＡ４と記載する）が設置されている。より具体的には、本実施形態に係るサーバＳＡ１〜ＳＡ４は、建物ＲＡ内の４箇所に設置されている。各サーバＳＡ１〜ＳＡ４は、図３に示すように、マイクロプロセッサやメモリ、ＨＤＤ等からなる複数のブレードサーバＢＳ１〜ＢＳ４が密集して構成されたものである。各サーバＳＡ１〜ＳＡ４におけるブレードサーバＢＳ１〜ＢＳ４は、電源モジュール９１や複数のファン９２等を有している収納ユニット９３に収納されており、個々のブレードサーバＢＳ１〜ＢＳ４は、電源モジュール９１から出力される電源を供給されることで、内部のマイクロプロセッサが動作し、サーバとしての機能を発揮することができる。個々のブレードサーバＢＳ１〜ＢＳ４自体が発熱するため、図３に示すようなブレードサーバＢＳ１〜ＢＳ４が密集した構成を有するサーバＳＡ１〜ＳＡ４は、建物ＲＡ内の熱源となっている。
【００３９】
（２）室内機、空調コントローラ、監視用コンピュータ及びセンサの構成
（２−１）室内機
次に、室内機２ａ〜２ｄの構成について説明する。尚、以下の室内機２ａ〜２ｄの構成の説明では、室内機２ａ〜２ｄ全てが同じ構造を有しているため、説明の便宜上、室内機２ａ〜２ｄを単に“室内機２”と記載する。
【００４０】
図１及び図２、図４に示すように、室内機２は、主として、本体２１、複数の上下フラップ２２、及び複数の左右ルーバ２３を有している。本体２１は、箱状の形状を有しており、下面には４つの吹き出し口２１ａ，２１ｂ，２１ｃ，２１ｄが形成されている（図１及び図２参照）。各吹き出し口２１ａ〜２１ｄは、本体２１の下面における４辺に沿ってそれぞれ細長い形状に形成されている。複数の上下フラップ２２及び複数の左右ルーバ２３は、それぞれ本体２１の各吹き出し口２１ａ〜２１ｄ付近に設けられている。上下フラップ２２は、各吹き出し口２１ａ〜２１ｄから吹き出された空調空気を上下方向に導くための風向調整板であって、各吹き出し口２１ａ〜２１ｄの形状と同様に細長い矩形状に形成されている。各上下フラップ２２は、本体２１に対し上下に回動することで、各吹き出し口２１ａ〜２１ｄを開閉することができる。左右ルーバ２３は、各吹き出し口２１ａ〜２１ｄから吹き出された空調空気を左右方向に導くための風向調節板であって、本体２１に対し左右に回動することができる。
【００４１】
また、本体２１の内部には、図４に示すように、通信部２４、室内温度センサ２５、送風ファン２６、制御部２７及び各種モータが設けられている。通信部２４は、空調コントローラ３と通信を行うための通信用インターフェースである。室内温度センサ２５は、室内機２付近の温度を検知する。送風ファン２６は、例えばターボファンであって、各吹き出し口２１ａ〜２１ｄを介して空調空気が室内に送られるように空気流を生成する。制御部２７は、通信部２４、室内温度センサ２５及び各種モータと接続されており、これらの各種機器の制御を行う。各種モータとしては、上下フラップ２２の駆動源として機能するモータ、左右ルーバ２３の駆動源として機能するモータ、送風ファン２６の駆動源として機能するモータが挙げられる。更に、本体２１の内部には、図示してはいないが、室内に送られる前の空気と熱交換を行う熱交換器等が設けられている。
【００４２】
（２−２）空調コントローラ
次に、空調コントローラ３の構成について説明する。空調コントローラ３は、図５に示すように、室内機用通信部３１、監視用通信部３２、操作パネル３３、記憶部３６及び制御部３７を有している。
【００４３】
室内機用通信部３１は、ＨＵＢ６を介さずに室内機２ａ〜２ｄと直接通信を行うための通信用インターフェースである。例えば、室内機用通信部３１は、各室内機２ａ〜２ｄの風量及び風向を変更するための制御信号や、設定温度を変更するための制御信号を、各室内機２ａ〜２ｄに送信する。
【００４４】
監視用通信部３２は、ＨＵＢ６を介して監視用コンピュータ４と通信を行うための通信用インターフェースである。例えば、監視用通信部３２は、各室内機２ａ〜２ｄの現在の設定温度、風量及び風向等を、監視用コンピュータ４に送信する。また、監視用通信部３２は、監視用コンピュータ４から、各室内機２ａ〜２ｄの現在の設定温度、風向及び風量を変更する旨を示す設定変更指示を受信することができる。
【００４５】
操作パネル３３は、表示部３４と、操作部３５とで構成される。表示部３４は、例えば液晶ディスプレイ及びマトリクススイッチ等で構成されるタッチパネルであって、各種画面を表示することができる。表示部３４が表示する画面としては、室内機２ａ〜２ｄの設定温度、風量及び風向等を設定するための設定画面が挙げられる。操作部３５は、例えば決定キーや選択キー、数字キー等の各種キーと、ペン型のポインティングデバイスとで構成される。操作部３５は、表示部３４に表示された各種画面に基づいて、室内機２ａ〜２ｄの空調運転に関する各種設定が行われる場合等に用いられる。例えば、空調システム１の利用者は、操作部３５のキーを押したりペン型のポインティングデバイスで表示部３４に直接触れたりすることで、設定画面上から室内機２ａ〜２ｄの現在の設定温度、風量及び風向等を所望の設定に変更することができる。
【００４６】
記憶部３６は、例えばフラッシュメモリやＨＤＤで構成される。記憶部３６は、各室内機２ａ〜２ｄの空調運転に関する各種設定が行われた場合に、その内容を設定情報として室内機２ａ〜２ｄ毎に格納する。
【００４７】
制御部３７は、ＲＯＭやＲＡＭ等のメモリとＣＰＵとからなるマイクロコンピュータで構成される。制御部３７は、室内機用通信部３１、監視用通信部３２、操作パネル３３における表示部３４及び操作部３５、記憶部３６と接続されており、接続された各機能部の制御を行う。具体的には、監視用通信部３２が室内機２ａ〜２ｄの設定変更指示を監視用コンピュータ４から受信した場合、制御部３７は、該設定変更指示に基づいて個々の室内機２ａ〜２ｄを制御するための制御信号を生成し、生成した制御信号が室内機用通信部３１を介して該当する室内機２ａ〜２ｄに送られるようにする。
【００４８】
（２−３）監視用コンピュータ
次に、監視用コンピュータ４の構成について説明する。監視用コンピュータ４は、図６に示すように、通信部４１、表示部４２、操作部４３、記憶部４４（記憶部に相当）及び制御部４５を有している。
【００４９】
〔通信部〕
通信部４１は、ＨＵＢ６を介して各センサ５ａ〜５ｄ及び空調コントローラ３と通信を行うための通信用インターフェースである。通信部４１は、各センサ５ａ〜５ｂが検知した温熱情報を、ＨＵＢ６を介して各センサ５ａ〜５ｂから受信する。ここで、温熱情報としては、建物ＲＡ内の温度や湿度、各サーバＳＡ１〜ＳＡ４の消費電力等が挙げられるが、以下では、説明を簡単にするため、温熱情報が建物ＲＡ内の温度及び湿度である場合を例に取る。
【００５０】
また、通信部４１は、空調コントローラ３から送られてきた各室内機２ａ〜２ｄの現在の設定温度、風量及び風向等を受信することができる。更に、本実施形態に係る通信部４１は、各室内機２ａ〜２ｄの現在の設定温度、風向、風量の変更を指示する旨を示す設定変更指示を、ＨＵＢ６を介して空調コントローラ３に送信する。
【００５１】
〔表示部及び操作部〕
表示部４２は、液晶ディスプレイで構成され、各種画面を表示することができる。表示部４２が表示する画面としては、各センサ５ａ〜５ｄが検知した検知結果に基づいて表された建物ＲＡ内の現在の環境状態を示す画面、室内機２ａ〜２ｄの設定温度、風量及び風向等を含む各室内機２ａ〜２ｄの運転状態を示す画面等が挙げられる。
【００５２】
操作部４３は、例えば文字キーやテンキーを備えたキーボードと、マウス等のポインティングデバイスとからなり、表示部４２に表示された各種画面に基づいて空調システム１の管理者が各種設定を行う場合等に用いられる。具体的には、管理者は、操作部４３を用いて、監視用コンピュータ４が建物ＲＡ内の環境状態を監視する時間帯を“９時〜１９時”、監視用コンピュータ４がセンサ５ａ〜５ｄから検知結果を取得する間隔を“３０分毎”等と設定することができる。また、管理者は、操作部４３を用いて、各室内機２ａ〜２ｄの運転開始及び停止を指示することもできる。
【００５３】
〔記憶部〕
記憶部４４は、ＨＤＤやフラッシュメモリで構成される。記憶部４４は、主として、以下に挙げる情報１〜情報７を記憶する。
情報１：建物ＲＡ内における各室内機２ａ〜２ｄの位置
情報２：建物ＲＡ内におけるサーバＳＡ１〜ＳＡ４の位置
情報３：各センサ５ａ〜５ｄが検知した温熱情報
情報４：室内機２ａ〜２ｄの設定温度、風量及び風速
情報５：建物ＲＡ内において空気の対流を妨げるような遮蔽物の位置
情報６：各センサ５ａ〜５ｄの位置
情報７：建物ＲＡ内の広さ及び床から天井までの高さ
【００５４】
尚、例えば通信部４１が最新の温熱情報（情報３）を受信したり最新の設定温度、風量及び風速（情報４）を受信したりしたことによって、記憶部４４が記憶している情報１〜情報７が最新の情報ではなくなった場合には、記憶部４４は、それまで記憶していた情報１〜情報７とは別に、新たな情報１〜情報７を蓄積していく。つまり、記憶部４４は、もはや最新の情報ではなくなった情報１〜情報７についても、履歴情報として記憶していく。また、記憶部４４は、後述する予測部４６により予測された建物ＲＡ内における温度ムラ及び気流溜まりの結果を、上記情報１〜情報７とは別の領域に記憶する。また、上記情報１〜情報７のうち、情報１、情報２、情報５、情報６、情報７の内容については、管理者が操作部４３を介して予め入力しておくとする。
【００５５】
〔制御部〕
制御部４５は、主として、ＲＯＭやＲＡＭ等のメモリとＣＰＵとで構成されるマイクロコンピュータである。制御部４５は、図６に示すように、通信部４１、表示部４２、操作部４３及び記憶部４４と接続されており、接続された各機器の制御を行う。特に、本実施形態に係る制御部４５は、建物ＲＡ内の温度ムラ及び気流溜まりの予測及び予測結果の補正、予測結果に基づく室内機２ａ〜２ｄの設定変更指示の生成を行う。このような動作を行うため、制御部４５は、予測部４６、補正部４７、指示生成部４８及び通信制御部４９として機能する。
【００５６】
〔予測部〕
予測部４６は、室内機２ａ〜２ｄが空調運転を行っている時に、建物ＲＡ内における温度ムラ及び気流溜まりを予測する。具体的には、予測部４６は、記憶部４４が記憶している情報１〜情報７に基づいて、温度ムラ及び気流溜まりをシミュレーションする。温度ムラ及び気流溜まりのシミュレーション手法としては、ニューラルネットワークによる予測プログラムを用いて温度ムラ及び気流溜まりをシミュレーションする方法、及びカルマンフィルタによる予測プログラムを用いて温度ムラ及び気流溜まりをシミュレーションする方法が挙げられるが、いずれの予測プログラムを用いたシミュレーションにおいても、記憶部４４が記憶している情報１〜情報７が変数として用いられる。尚、予測部４６による予測動作は、例えば３０分毎に行われ、予測結果は、記憶部４４に格納されていく。
【００５７】
〔補正部〕
補正部４７は、予測部４６が予測した予測結果、即ち建物ＲＡ内における温度ムラ及び気流溜まりを、記憶部４４が履歴情報として記憶している温熱情報（情報３）、室内機２ａ〜２ｄの設定温度、風量及び風速（情報４）の少なくとも１つに基づいて補正する。具体的には、補正部４７は、記憶部４４に記憶されている過去の予測結果と、該過去の予測結果に対する実際の環境状態、具体的にはセンサ５ａ〜５ｄにより検知された実際の温熱情報、その時の各室内機２ａ〜２ｄの設定温度、風速及び風量とから、実際の建物ＲＡ内の環境状態に対する予測部４６の予測結果の誤差を割り出す。そして、補正部４７は、上記誤差から予測結果を補正すべき補正値を求め、該補正値に基づいて、予測部４６により新たに予測された予測結果を補正する。尚、補正部４７は、より正確に予想結果を補正すべく、全ての予測結果について予測結果と実際の環境状態との比較を行い、補正値を調整していく。
【００５８】
〔指示生成部〕
指示生成部４８は、補正部４７により補正された予測結果に基づいて、各室内機２ａ〜２ｄの設定変更指示を生成する。例えば、補正後の予測結果が、現在の時刻から約３０分後には、建物ＲＡ内の各サーバＳＡ１〜ＳＡ４付近における温度が４０度近くに達するが、各サーバＳＡ１〜ＳＡ４から離れれば離れる程（例えば、図２の建物ＲＡの中央付近）温度が２５度となるような温度ムラ及び気流溜まりが生じるという内容である場合を考える。この場合、指示生成部４８は、室内機２ａ，２ｃの各吹き出し口２１ａ，２１ｂ、室内機２ｂの吹き出し口２１ａ，２１ｄ、室内機２ｄの吹き出し口２１ｃ，２１ｄからは、それぞれ各サーバＳＡ１〜ＳＡ４に向けて風量“強”の空調空気が吹き出されると共に、それ以外の全ての吹き出し口からは、風量“弱”の空調空気が任意の方向に吹き出されるように、各室内機２ａ〜２ｄの設定変更指示を生成する。
【００５９】
〔通信制御部〕
通信制御部４９は、通信部４１の通信制御を行う。具体的には、通信制御部４９は、指示生成部４８により各室内機２ａ〜２ｄの設定変更指示が生成されると、該設定変更指示が空調コントローラ３宛に送信されるように、通信部４１を制御する。
【００６０】
また、通信制御部４９は、最新の温熱情報を例えば３０分毎などの所定間隔毎に各センサ５ａ〜５ｄから取得すべく、所定間隔毎に通信部４１に各センサ５ａ〜５ｄへの問い合わせを行わせる。
【００６１】
（２−４）センサ
センサ５ａ〜５ｄは、建物ＲＡ内の所定箇所、具体的には４箇所に設けられている。ここで、センサ５ａ〜５ｄが設けられる箇所としては、建物ＲＡ内に設置された各サーバＳＡ１〜ＳＡ４（即ち、熱源）の位置又はその付近が挙げられる。本実施形態では、図２に示すように、センサ５ａ〜５ｄが、各サーバＳＡ１〜ＳＡ４近傍に１つずつ設けられた場合を例に取る。
【００６２】
このようなセンサ５ａ〜５ｄは、各サーバＳＡ１〜ＳＡ４近傍の温熱情報である温度及び湿度を検知することができる。そして、センサ５ａ〜５ｄは、監視用コンピュータ４から所定間隔毎に問い合わせがあった場合に、温熱情報を検知して監視用コンピュータ４に送信する。
【００６３】
尚、センサ５ａ〜５ｄの種類としては、焦電センサ、サーモパイルセンサ、カメラの他、無線ＬＡＮ対応携帯またはタグ、ＲＦＩＤタグ、ＺｉｇＢｅｅ準拠の無線センサ等が挙げられる。このようなセンサ５ａ〜５ｄは、温度や湿度を検知することが可能な範囲を有しており、この範囲は、センサの種類によって異なっている。従って、センサ５ａ〜５ｄは、この範囲を考慮して、個々のサーバＳＡ１〜ＳＡ４付近の温度及び湿度を正確に検知可能なように設置されるとよい。
【００６４】
（３）空調システムの動作
次に、上述した空調システム１の動作について説明する。図７は、本実施形態に係る空調システム１の動作を説明するための図である。
【００６５】
先ず、監視用コンピュータ４は、温熱情報の送信要求を各センサ５ａ〜５ｄに送信すると共に（＃１）、各室内機２ａ〜２ｄの設定温度、風量及び風向の送信要求を空調コントローラ３に送信する（＃２）。監視用コンピュータ４が送信した各室内機２ａ〜２ｄの設定温度等の送信要求は、空調コントローラ３を介して各室内機２ａ〜２ｄに送信される（＃３）。
【００６６】
各センサ５ａ〜５ｄは、監視用コンピュータ４から温熱情報の送信要求を受信すると（＃４）、各サーバＳＡ１〜ＳＡ４近傍での温熱情報を検知し、これをＨＵＢ６を介して監視用コンピュータ４に送信する（＃５）。各室内機２ａ〜２ｄは、空調コントローラ３からの設定温度等の送信要求を受信すると（＃６）、現在設定されている温度、風量及び風向を空調コントローラ３に送信する（＃７）。各室内機２ａ〜２ｄが送信した現在の設定温度、風量及び風向は、空調コントローラ３及びＨＵＢ６を介して監視用コンピュータ４に送られる（＃８）。
【００６７】
監視用コンピュータ４は、各センサ５ａ〜５ｄから送られてきた温熱情報を情報３として、各室内機２ａ〜２ｄから送られてきた現在の設定温度、風量及び風向を情報４としてそれぞれ記憶する（＃９）。そして、監視用コンピュータ４は、記憶部４４内の情報１〜情報７に基づいて、建物ＲＡ内における温度ムラ及び気流溜まりを予測し、予測結果を補正する（＃１０）。予測結果を補正後、監視用コンピュータ４は、補正後の予測結果に基づいて、各室内機２ａ〜２ｄの設定変更指示を生成し、これを空調コントローラ３に送信する（＃１１）。
【００６８】
空調コントローラ３は、室内機２ａ〜２ｄの設定変更指示を、ＨＵＢ６を介して監視用コンピュータ４から受信すると（＃１２）、各室内機２ａ〜２ｄに対し設定変更指示を送信する（＃１３）。
【００６９】
各室内機２ａ〜２ｄは、空調コントローラ３から設定変更指示を受信すると（＃１４）、現在設定されている設定温度や風量、風向を、受信した設定変更指示に従って変更し、空調動作を行う（＃１５）。これにより、監視用コンピュータ４により予測されたような建物ＲＡ内の温度ムラ及び気流溜まりは生じることがなく、建物ＲＡ内は快適な空調環境となる。
【００７０】
（４）効果
（Ａ）
本実施形態に係る空調システム１によると、建物ＲＡ内における温度ムラ及び気流溜まりが予測されると、この予測結果に基づいて、例えば熱源であるサーバＳＡ１〜ＳＡ４付近に集中して空調空気が吹き出されるように、個々の室内機２ａ〜２ｄの各吹き出し口２１ａ〜２１ｄから吹き出される空調空気の温度、風向及び風量が制御される。これにより、建物ＲＡ内には最適な空調環境が提供され、建物ＲＡ内に設置されたサーバＳＡ１〜ＳＡ４の熱源の故障や劣化を防ぐことができる。
【００７１】
（Ｂ）
また、本実施形態に係る空調システム１によると、建物ＲＡ内の温度ムラ及び気流溜まりは、建物ＲＡ内の温度や湿度、サーバＳＡ１〜ＳＡ４の消費電力等である温熱情報（情報３）に基づいて予測される。そのため、建物ＲＡ内の実際の温度ムラや気流溜まりに近い予測結果が得られるようになる。従って、より最適な空調環境を提供することができる。
【００７２】
（Ｃ）
また、本実施形態では、温熱情報（情報３）として、建物ＲＡ内に設置された熱源である各サーバＳＡ１〜ＳＡ４の位置またはその付近の温熱情報が温度ムラ及び気流溜まりの予測に用いられる。そのため、実際により近い予測結果が得られるようになる。
【００７３】
（Ｄ）
また、本実施形態に係る空調システム１によると、建物ＲＡ内における温度ムラや気流溜まりは、温熱情報（情報３）だけではなく、更に各室内機２ａ〜２ｄの位置（情報１）及び熱源であるサーバＳＡ１〜ＳＡ４の位置（情報２）の少なくとも１つに基づいて予測される。そのため、実際の温度ムラ及び気流溜まりにより近い予測結果が得られるようになる。
【００７４】
（Ｅ）
また、本実施形態に係る空調システム１によると、建物ＲＡ内における温度ムラや気流溜まりは、温熱情報（情報３）や各室内機２ａ〜２ｄの位置（情報１）、サーバＳＡ１〜ＳＡ４の位置（情報２）だけではなく、更に各室内機２ａ〜２ｄの現在の設定温度、風量及び風向（情報４）の少なくとも１つに更に基づいて予測される。そのため、監視用コンピュータ４は、各室内機２ａ〜２ｄによる空調運転の温熱情報等への影響も考慮して、温度ムラ及び気流溜まりの予測を行うことができる。
【００７５】
（Ｆ）
また、本実施形態に係る空調システム１によると、予測部４６により新たに予測された結果は、過去に温度ムラや気流溜まりを予測する際に用いられた温熱情報、各室内機２ａ〜２ｄの設定温度、風量及び風速の少なくとも１つに基づいて補正される。従って、過去の各種情報を考慮してより適切な予測を行うことができ、最適な空調環境を提供することができる。
【００７６】
（Ｇ）
また、本実施形態に係る空調システム１には、センサ５ａ〜５ｄが設けられている。各センサ５ａ〜５ｄは、各サーバＳＡ１〜ＳＡ４近傍の設置条件にあわせて自由に設置されると共に、各サーバＳＡ１〜ＳＡ４付近の温熱情報を検知することができる。更に、建物ＲＡ内における温度ムラや気流溜まりは、更にセンサ５ａ〜５ｄが設けられた位置（情報６）も考慮して、予測されるようになる。
【００７７】
＜第２実施形態＞
次に、本発明の第２実施形態に係る空調システム１０１について説明する。図８は、本発明の第２実施形態に係る空調システム１０１の構成を概略的に示す図である。空調システム１０１は、第１実施形態に係る空調システム１と同様、空調対象空間である建物ＲＡ内のその時々の環境状態に応じて各室内機１０２ａ〜１０２ｄを制御するシステムである。本実施形態に係る空調システム１０１は、図８に示すように、主として、複数の室内機１０２ａ，１０２ｂ，１０２ｃ，１０２ｄ・・・、空調コントローラ１０３、及び監視用コンピュータ１０４を備える。
【００７８】
尚、室内機１０２ａ〜１０２ｄ及び空調コントローラ１０３については、第１実施形態で同じ名称を付して示した室内機２ａ〜２ｄ及び空調コントローラ３と同様の構成を有するため、詳細な説明を省略する。
【００７９】
また、建物ＲＡ内に設置された複数のサーバＳＡ１〜ＳＡ４は、第１実施形態と同様、マイクロプロセッサやメモリ、ＨＤＤ等からなる複数のブレードサーバが密集した構成を有しており、建物ＲＡ内の４箇所に設置されている。既に述べたように、サーバＳＡ１〜ＳＡ４は、建物ＲＡ内の熱源であるが、より詳細には、サーバＳＡ１〜ＳＡ４内の各ブレードサーバにおけるマイクロプロセッサやメモリ、ＨＤＤ等が主な発熱要因となっている。そこで、本実施形態では、温度ムラ及び気流溜まりを更に詳細に予測するべく、監視用コンピュータ１０４は、各サーバＳＡ１〜ＳＡ４から温熱情報を直接取得可能なように、イーサネット（登録商標）によってＨＵＢ１０６を介して各サーバＳＡ１〜ＳＡ４と直接接続されている。
【００８０】
（１）監視用コンピュータの構成
監視用コンピュータ１０４は、図９に示すように、通信部１４１、表示部１４２、操作部１４３、記憶部１４４及び制御部１４５を有している。制御部１４５は、予測部１４６、指示生成部１４７及び通信制御部１４８として機能する。尚、表示部１４２及び操作部１４３については、第１実施形態で同じ名称を付して示した監視用コンピュータ４の表示部４２及び操作部４３と同様であるため、以下では、通信部１４１、記憶部１４４、予測部１４６、指示生成部１４７及び通信制御部１４８について説明する。
【００８１】
〔通信部〕
通信部１４１は、ＨＵＢ１０６を介して各サーバＳＡ１〜ＳＡ４及び空調コントローラ１０３と通信を行うための通信用インターフェースである。通信部１４１は、各サーバＳＡ１〜ＳＡ４から、マイクロプロセッサやメモリ、ＨＤＤ付近の温度、負荷情報、消費電力を温熱情報として受信する。即ち、本実施形態に係る通信部１４１は、第１実施形態に示すように、サーバＳＡ１〜ＳＡ４近傍における温度及び湿度を温熱情報として各センサ５ａ〜５ｄから取得するのではなく、各サーバＳＡ１〜ＳＡ４内部の温度や熱に関する温熱情報を、個々のサーバＳＡ１〜ＳＡ４から直接取得する。
【００８２】
また、通信部１４１は、空調コントローラ１０３から送られてきた各室内機１０２ａ〜１０２ｄの現在の設定温度、風量及び風向等を受信する。更に、通信部１４１は、各室内機１０２ａ〜１０２ｄの現在の設定温度、風向、風量の変更を指示する旨を示す設定変更指示を、ＨＵＢ１０６を介して空調コントローラ１０３に送信する。
【００８３】
〔記憶部〕
記憶部１４４は、ＨＤＤやフラッシュメモリで構成される。記憶部１４４は、主として、以下に挙げる情報１１〜１６を記憶する。
情報１１：建物ＲＡ内における各室内機２ａ〜２ｄの位置
情報１２：建物ＲＡ内におけるサーバＳＡ１〜ＳＡ４の位置
情報１３：各サーバＳＡ１〜ＳＡ４内のマイクロプロセッサの温度等の温熱情報
情報１４：室内機２ａ〜２ｄの設定温度、風量及び風速
情報１５：建物ＲＡ内において空気の対流を妨げるような遮蔽物の位置
情報１６：建物ＲＡ内の広さ及び床から天井までの高さ
【００８４】
つまり、本実施形態の空調システム１０１では、第１実施形態の空調システム１のようにサーバＳＡ１〜ＳＡ４付近にセンサ５ａ〜５ｄが設けられておらず、監視用コンピュータ１０４が各サーバＳＡ１〜ＳＡ４からサーバ内部の温熱情報を直接取得することから、記憶部１４４は、センサに関連する情報（具体的には、センサにより検知された温熱情報（情報３）、及びセンサの位置（情報６））を記憶していない。代わりに、記憶部１４４は、各サーバＳＡ１〜ＳＡ４から直接取得した温熱情報を記憶する（情報１３）。
【００８５】
尚、第１実施形態と同様、例えば通信部１４１が最新の温熱情報（情報１３）を受信したり各室内機１０２ａ〜１０２ｄの最新の設定温度、風量及び風速（情報１４）を受信したりしたことによって、記憶部１４４が記憶している情報１１〜１６が最新の情報ではなくなった場合には、記憶部１４４は、それまで記憶していた情報１１〜１６とは別に、新たな情報１１〜１６を蓄積していく。また、記憶部１４４は、後述する予測部１４６により予測された建物ＲＡ内における温度ムラ及び気流溜まりの結果を、上記情報１１〜１６とは別の領域に記憶する。
【００８６】
また、上記情報１１〜１６のうち、情報１１、情報１２、情報１５、情報１６の内容については、管理者が操作部１４３を介して予め入力しておくとする。
【００８７】
〔予測部〕
予測部１４６は、第１実施形態に係る予測部４６と同様、室内機１０２ａ〜１０２ｄが空調運転を行っている時に、記憶部１４４が記憶している情報１１〜１６に基づいて、建物ＲＡ内における温度ムラ及び気流溜まりをシミュレーションする。
【００８８】
更に、本実施形態に係る予測部１４６は、記憶部１４４が記憶している温熱情報（情報１３）から、サーバＳＡ１〜ＳＡ４における発熱量の経時的変化を割り出し、現在における温熱情報と割り出した発熱量の経時的変化とに基づいて、発熱量が今後増加するであろうサーバＳＡ１〜ＳＡ４を予測する。具体的には、予測部１４６は、記憶部１４４が記憶している各サーバＳＡ１〜ＳＡ４の過去の温熱情報から、各サーバＳＡ１〜ＳＡ４が忙しい時間帯（つまり、各サーバＳＡ１〜ＳＡ４の負荷がピークに達する時間帯）と、各サーバＳＡ１〜ＳＡ４の負荷の推移とを求める。そして、予測部１４６は、求めた結果と新たな温熱情報とから、各サーバＳＡ１〜ＳＡ４のこれからの時間帯の発熱量を予測し、発熱量が増加傾向にあると予測されるサーバＳＡ１〜ＳＡ４を特定する。つまり、予測部１４６は、過去の温熱情報の時間的推移から、発熱量が高くなるであろうサーバＳＡ１〜ＳＡ４を推測する。
【００８９】
〔指示生成部〕
指示生成部１４７は、予測部１４６による予測結果（具体的には、建物ＲＡ内の温度ムラ及び気流溜まりと、発熱量が増加すると予測したサーバＳＡ１〜ＳＡ４）に基づいて、各室内機１０２ａ〜１０２ｄの設定変更指示を生成する。具体的には、指示生成部１４７は、これからの時間帯において発熱量が増加するであろうと予測されたサーバＳＡ１〜ＳＡ４が集中して冷却されると共に、予測した温度ムラ及び気流溜まりが解消されるように、各室内機１０２ａ〜１０２ｄの風量及び風向等の設定変更指示を生成する。
【００９０】
〔通信制御部〕
通信制御部１４８は、通信部１４１の通信制御を行う。具体的には、通信制御部１４８は、指示生成部１４７により各室内機１０２ａ〜１０２ｄの設定変更指示が生成されると、該設定変更指示が空調コントローラ１０３宛に送信されるように、通信部１４１を制御する。これにより、空調コントローラ１０３からは、発熱量が増加するであろうと予測されたサーバＳＡ１〜ＳＡ４を冷却可能な室内機１０２ａ〜１０２ｄに対し、該サーバＳＡ１〜ＳＡ４を冷却するための設定温度、風量及び風向の変更指示が送られる。また、空調コントローラ１０３からは、その他の室内機１０２ａ〜１０２ｄに対し、温度ムラ及び気流溜まりが解消されるような設定温度、風量及び風向の変更指示が送られるようになる。
【００９１】
また、通信制御部１４８は、第１実施形態に係る通信制御部４９と同様、各サーバＳＡ１〜ＳＡ４から現在の温熱情報を取得すべく、例えば３０分毎などの所定間隔毎に、通信部１４１に各サーバＳＡ１〜ＳＡ４への問い合わせを行わせる。
【００９２】
（２）空調システムの動作
図１０は、本実施形態に係る空調システム１０１の動作の流れを示す図である。
【００９３】
先ず、監視用コンピュータ１０４は、温熱情報の送信要求を各サーバＳＡ１〜ＳＡ４に送信すると共に（＃１０１）、各室内機１０２ａ〜１０２ｄの設定温度、風量及び風向の送信要求を空調コントローラ１０３に送信する（＃１０２）。監視用コンピュータ１０４が送信した各室内機１０２ａ〜１０２ｄの設定温度等の送信要求は、空調コントローラ１０３を介して各室内機１０２ａ〜１０２ｄに送信される（＃１０３）。
【００９４】
各サーバＳＡ１〜ＳＡ４は、監視用コンピュータ１０４から温熱情報の送信要求を受信すると（＃１０４）、マイクロプロセッサやメモリ、ＨＤＤ付近の現在の温度、負荷情報、及び消費電力を温熱情報として監視用コンピュータ１０４に送信する（＃１０５）。この温熱情報は、ＨＵＢ１０６を介して監視用コンピュータ１０４に送られる。
【００９５】
各室内機１０２ａ〜１０２ｄは、空調コントローラ１０３から設定温度等の送信要求を受信すると（＃１０６）、現在設定されている温度、風量及び風向を空調コントローラ１０３に送信する（＃１０７）。各室内機１０２ａ〜１０２ｄが送信した現在の設定温度、風量及び風向は、空調コントローラ１０３及びＨＵＢ１０６を介して監視用コンピュータ１０４に送られる（＃１０８）。
【００９６】
監視用コンピュータ１０４は、各サーバＳＡ１〜ＳＡ４から送られてきた温熱情報を情報１３として、各室内機１０２ａ〜１０２ｄから送られてきた現在の設定温度、風量及び風向を情報１４としてそれぞれ記憶する（＃１０９）。そして、監視用コンピュータ１０４は、記憶部１４４内の情報１１〜１６に基づいて、建物ＲＡ内における温度ムラ及び気流溜まりを予測すると共に、今後発熱量が増加するであろうサーバＳＡ１〜ＳＡ４を予測する（＃１１０）。次いで、監視用コンピュータ１０４は、これらの予測結果に基づいて、各室内機１０２ａ〜１０２ｄの設定変更指示を生成し、これを空調コントローラ１０３に送信する（＃１１１）。
【００９７】
空調コントローラ１０３は、室内機１０２ａ〜１０２ｄの設定変更指示を、ＨＵＢ１０６を介して監視用コンピュータ１０４から受信すると（＃１１２）、該当する室内機１０２ａ〜１０２ｄに対し設定変更指示を送信する（＃１１３）。
【００９８】
各室内機１０２ａ〜１０２ｄは、空調コントローラ１０３から設定変更指示を受信すると（＃１１４）、現在設定されている設定温度や風量、風向を、受信した設定変更指示に従って変更し、空調動作を行う（＃１１５）。これにより、監視用コンピュータ１０４により予測されたサーバＳＡ１〜ＳＡ４の発熱による建物ＲＡ内の温度ムラ及び気流溜まりの発生を防止することができ、建物ＲＡ内は快適な空調環境となる。
【００９９】
（３）効果
本実施形態に係る空調システム１０１によると、過去の温熱情報の経時的変化に基づいて、これから発熱量が高くなるであろうサーバＳＡ１〜ＳＡ４が更に予測される。これにより、空調コントローラ１０３は、予測されたサーバＳＡ１〜ＳＡ４を集中的に冷却するように室内機１０２ａ〜１０２ｄを制御することができ、発熱量の増加によりサーバＳＡ１〜ＳＡ４周辺の温度が局所的に上昇するのを未然に防ぐことができる。
【０１００】
＜第３実施形態＞
次に、本発明の第３実施形態に係る空調システム２０１について説明する。図１１は、本発明の第３実施形態に係る空調システム２０１の構成を概略的に示す図である。空調システム２０１は、第１実施形態に係る空調システム１と同様、空調対象空間である建物ＲＡ内のその時々の環境状態に応じて各室内機２０２ａ〜２０２ｄを制御するシステムである。特に、本実施形態に係る空調システム２０１は、サーバＳＡ１〜ＳＡ４におけるブレードサーバが増設される可能性のある場合に適用するとよい。
【０１０１】
空調システム２０１は、第１実施形態に係る空調システム１と同様の構成を有する。つまり、空調システム２０１は、図１１に示すように、主として、複数の室内機２０２ａ，２０２ｂ，２０２ｃ，２０２ｄ・・・、空調コントローラ２０３、監視用コンピュータ２０４及びセンサ２０５ａ，２０５ｂ，２０５ｃ，２０５ｄ・・・を備える。室内機２０２ａ〜２０２ｄ、空調コントローラ２０３及びセンサ２０５ａ〜２０５ｄについては、第１実施形態で同じ名称を付して示した室内機２ａ〜２ｄ、空調コントローラ３及びセンサ５ａ〜５ｄと同様の構成を有するため、詳細な説明を省略する。
【０１０２】
また、建物ＲＡ内に設置された複数のサーバＳＡ１〜ＳＡ４は、第１実施形態と同様、マイクロプロセッサやメモリ、ＨＤＤ等からなる複数のブレードサーバが密集した構成を有しており、建物ＲＡ内の４箇所に設置されている。即ち、サーバＳＡ１〜ＳＡ４は、建物ＲＡ内の熱源である。
【０１０３】
尚、以下では、図１１に示すように、サーバＳＡ１〜ＳＡ４のうちサーバＳＡ１において、ブレードサーバが増設された場合を例に取る。
【０１０４】
（１）監視用コンピュータの構成
監視用コンピュータ１０４は、図１２に示すように、通信部２４１、表示部２４２（報知部に相当）、操作部２４３、記憶部２４４及び制御部２４５を有している。制御部２４５は、予測部２４６、補正部２４７、指示生成部２４８、判断部２４９、及び通信制御部２５０として機能する。尚、通信部２４１、操作部２４３、記憶部２４４、予測部２４６、補正部２４７、及び指示生成部２４８については、第１実施形態で同じ名称を付して示した監視用コンピュータ４の通信部４１、操作部４３、記憶部４４、予測部４６、補正部４７、及び指示生成部４８と同様である。そのため、以下では、表示部２４２、判断部２４９、及び通信制御部２５０について説明する。
【０１０５】
〔表示部〕
表示部２４２は、第１実施形態に係る表示部４２と同様、液晶ディスプレイで構成され、各種画面を表示することができる。特に、本実施形態に係る表示部２４２は、建物ＲＡ内の環境の変化が現在の室内機２０２ａ〜２０２ｄの空調能力で対応不可能である場合に、その旨を報知する。図１３は、室内機２０２ａ〜２０２ｄのうち、室内機２０２ａの空調能力が不足している場合に、表示部２４２に表示される画面ｓｑの一例を示す。図１３に示される画面ｓｑは、室内機２０２ａ〜２０２ｄのうち１つでも空調能力が不足している場合に表示部２４２に表示され、室内機２０２ａ〜２０２ｄ全てが能力不足でない場合には、表示部２４２に表示されない。
【０１０６】
〔判断部〕
判断部２４９は、各室内機２０２ａ〜２０２ｄの空調能力が、建物ＲＡ内の環境の変化に対し対応可能であるか否かを判断する。具体的には、判断部２４９は、センサ２０５ａ〜２０５ｄにより新たに検知された温熱情報と、記憶部２４４内の前回検知された温熱情報とを比較する。新たに検知された温熱情報と前回検知された温熱情報とが異なる場合には、判断部２４９は、建物ＲＡ内の環境が変化したと判断する。そして、判断部２４９は、予測部２４６により予測され補正部２４７により補正された予測結果と今回検知された新たな温熱情報とに基づいて、建物ＲＡ内の環境の変化が現在の室内機２０２ａ〜２０２ｄの空調能力で対応可能か否かを判断する。
【０１０７】
例えば、本実施形態の図１１に示されるように、サーバＳＡ１におけるブレードサーバが増設されると、サーバＳＡ１の発熱量が増加する。すると、その発熱量によっては、サーバＳＡ１付近に設置されており主にサーバＳＡ１を冷却するための室内機２０２ａでは、サーバＳＡ１を十分に冷却できない場合がある。このような場合、サーバＳＡ１の発熱量については、サーバＳＡ１付近に設けられたセンサ２０５ａによって温熱情報として検知される。そこで、判断部２４９は、各室内機２０２ａ〜２０２ｄ内の送風ファンの最大回転数等である各室内機２０２ａ〜２０２ｄの最大空調能力を判断するための情報と、予測結果と、新たな温熱情報とに基づいて、室内機２０２ａ〜２０２ｄが対応可能か否かを判断する。例えば、サーバＳＡ１の発熱量が増加することから、判断部２４９は、室内機２０２ａについては対応不可能と判断し、その他の室内機２０２ｂ〜２０２ｄについては、対応可能と判断する。尚、各室内機２０２ａ〜２０２ｄの最大空調能力を判断するための情報は、記憶部２４４内に格納されている。
【０１０８】
このように、室内機２０２ａ〜２０２ｄの空調能力では対応不可能であると判断された室内機２０２ａ〜２０２ｄが１つでもある場合には、指示生成部２４８は、各室内機２０２ａ〜２０２ｄの設定変更指示を生成しない。
【０１０９】
また、新たに検知された温熱情報と、前回検知された温熱情報とが同一である場合には、判断部２４９は、建物ＲＡ内の環境が変化していないと判断する。この場合、判断部２４９は、各室内機２０２ａ〜２０２ｄが対応可能か否かの判断を新たに行わなくてよい。つまり、前回判断した結果が保たれる。
【０１１０】
このように、環境の変化は室内機２０２ａ〜２０２ｄの空調能力で対応可能であると判断された場合には、指示生成部２４８は、第１実施形態と同様、補正後の予測結果に基づいて各室内機２０２ａ〜２０２ｄの設定変更指示を生成する。
【０１１１】
〔通信制御部〕
通信制御部２５０は、通信部２４１の通信制御を行う。より具体的には、通信制御部２５０は、判断部２４９により室内機２０２ａ〜２０２ｄが対応可能であると判断された場合には、指示生成部２４８により各室内機２０２ａ〜２０２ｄの設定変更指示が生成されるため、この設定変更指示が空調コントローラ２０３宛に送信されるように、通信部２４１を制御する。これにより、空調コントローラ２０３は、該設定変更指示に基づいて個々の室内機２０２ａ〜２０２ｄを制御するための制御信号を生成し、各室内機２０２ａ〜２０２ｄに送ることができる。
【０１１２】
また、通信制御部２５０は、第１実施形態に係る通信制御部４９と同様、最新の温熱情報を例えば３０分毎などの所定間隔毎に各センサ２０５ａ〜２０５ｄから取得すべく、所定間隔毎に通信部２４１に各センサ２０５ａ〜２０５ｄへの問い合わせを行わせる。
【０１１３】
（２）空調システムの動作
図１４は、本実施形態に係る空調システム２０１の動作の流れを示す図である。
【０１１４】
先ず、監視用コンピュータ２０４は、温熱情報の送信要求を各センサ２０５ａ〜２０５ｄに送信すると共に（＃２０１）、各室内機２０２ａ〜２０２ｄの設定温度、風量及び風向の送信要求を空調コントローラ２０３に送信する（＃２０２）。監視用コンピュータ２０４が送信した各室内機２０２ａ〜２０２ｄの設定温度等の送信要求は、空調コントローラ２０３を介して各室内機２０２ａ〜２０２ｄに送信される（＃２０３）。
【０１１５】
各センサ２０５ａ〜２０５ｄは、監視用コンピュータ２０４から温熱情報の送信要求を受信すると（＃２０４）、各サーバＳＡ１〜ＳＡ４近傍での温熱情報を検知し、これをＨＵＢ２０６を介して監視用コンピュータ２０４に送信する（＃２０５）。各室内機２０２ａ〜２０２ｄは、空調コントローラ２０３から設定温度等の送信要求を受信すると（＃２０６）、現在の設定温度、風量及び風向を空調コントローラ２０３に送信する（＃２０７）。各室内機２０２ａ〜２０２ｄが送信した現在の設定温度、風量及び風向は、空調コントローラ２０３及びＨＵＢ２０６を介して監視用コンピュータ２０４に送られる（＃２０８）。
【０１１６】
監視用コンピュータ２０４は、各サーバＳＡ１〜ＳＡ４から送られてきた温熱情報と、各室内機２０２ａ〜２０２ｄから送られてきた現在の設定温度、風量及び風向とをそれぞれ記憶する（＃２０９）。そして、監視用コンピュータ２０４は、記憶部２４４内の各種情報に基づいて、建物ＲＡ内における温度ムラ及び気流溜まりを予測及び補正する（＃２１０）。また、監視用コンピュータ２０４は、＃２０９で取得した温熱情報、及び前回検知された温熱情報に基づいて、環境の変化が現在の室内機２０１ａ〜２０１ｄの空調能力で対応可能か否かを判断する（＃２１１）。対応可能である場合には（＃２１２のＹｅｓ）、監視用コンピュータ２０４は、補正後の予測結果に基づいて、各室内機２０２ａ〜２０２ｄの設定変更指示を生成し、これを空調コントローラ１０３に送信する（＃２１３）。
【０１１７】
空調コントローラ２０３は、室内機２０２ａ〜２０２ｄの設定変更指示を、ＨＵＢ２０６を介して監視用コンピュータ２０４から受信すると（＃２１４）、該当する室内機２０２ａ〜２０２ｄに対し設定変更指示を送信する（＃２１５）。
【０１１８】
各室内機２０２ａ〜２０２ｄは、空調コントローラ２０３から設定変更指示を受信すると（＃２１６）、現在設定されている設定温度や風量、風向を、受信した設定変更指示に従って変更し、空調動作を行う（＃２１７）。これにより、監視用コンピュータ２０４により予測されたサーバＳＡ１〜ＳＡ４の発熱による建物ＲＡ内の温度ムラ及び気流溜まりの発生を防止することができ、建物ＲＡ内は快適な空調環境となる。
【０１１９】
＃２１２において、室内機２０２ａ〜２０２ｄは対応不可能であると監視用コンピュータ２０４が判断した場合には（＃２１２のＮｏ）、監視用コンピュータ２０４の表示部２４２には、図１３に示されるような画面ｓｑが表示される。
【０１２０】
（３）効果
本実施形態に係る空調システム２０１によると、建物ＲＡ内の環境の変化が現在の室内機２０２ａ〜２０２ｄの空調能力では対応不可能である場合、図１３に示されるような画面ｓｑが表示部２４２に表示される。そのため、空調システム２０１のユーザは、その旨を知ることができる。また、建物ＲＡ内の環境の変化が現在の室内機２０２ａ〜２０２ｄの空調能力で対応可能である場合には、予測結果に基づいて室内機２０２ａ〜２０２ｄの各吹き出し口から吹き出される空調空気の温度や風速が制御されるため、建物ＲＡ内は、室内機２０２ａ〜２０２ｄの空調能力の範囲内で確実に最適な空調環境となることができる。
【０１２１】
＜その他の実施形態＞
（ａ）
上記第１実施形態では、図２に示すように、空調コントローラ３が建物ＲＡ内の壁に設置されていると説明した。しかし、空調コントローラ３が設置される場所は、建物ＲＡ内の壁に限定されず、室内機２ａ〜２ｄの空調制御を行うことができれば、どのような場所に設置されていてもよい。
【０１２２】
（ｂ）
上記第１及び第３実施形態では、予測部４６，２４６による予測結果が補正部４７，２４７により補正された後、補正後の予測結果が空調コントローラ３，２０３に送信される場合について説明した。しかし、予測部４６，２４６が、補正不要である程実際の温度ムラ及び気流溜まりに近い結果を予測できる場合には、予測結果は、補正部４７，２４７により補正されなくともよい。
【０１２３】
（ｃ）
上記第１〜第３実施形態において、監視用コンピュータ４，１０４，２０４の記憶部４４，１４４，２４４は、更に建物ＲＡ外の温度及び湿度を記憶してもよい。この場合、建物ＲＡ外には、外気温度及び湿度を検知するためのセンサが更に設けられるとする。そして、監視用コンピュータ４，１０４，２０４における通信部４１，１４１，２４１は、建物ＲＡ外のセンサから外気温度及び外気湿度を受信すると、記憶部４４，２４４は、これを記憶する。この外気温度及び外気湿度は、予測部４６，１４６，２４６として機能する制御部４５，１４５，２４５が建物ＲＡ内の温度ムラ及び気流溜まりの予測を行う時に、他の情報と共に用いられる。
【０１２４】
（ｄ）
上記第１〜第３実施形態では、室内機２ａ〜２ｄ，１０３ａ〜１０３ｄ，２０３ａ〜２０３ｄの制御を行う部分（即ち、空調コントローラ３，１０３，２０３）と、建物ＲＡ内における温度ムラ及び気流溜まりを予測及び補正する部分（即ち、監視用コンピュータ４，１０４，２０４）とが、空調システム１，１０１，２０１内に別々に設けられた場合について説明した。しかし、室内機の制御を行う部分、及び建物ＲＡ内における温度ムラ及び気流溜まりを予測及び補正する部分は、共に空調コントローラ内に設けられても良い。つまり、空調コントローラは、室内機の制御機能だけではなく、温熱情報の収集等の、監視用コンピュータが行う機能全てを有する。これにより、監視用コンピュータを設けずに済むため、コストを削減することができる。
【０１２５】
（ｅ）
上記第１〜第３実施形態では、予測部４６，１４６，２４６が、建物ＲＡ内に生じるであろう温度ムラと気流溜まりとの両方を予測すると説明した。しかし、予測部４６，１４６，２４６は、建物ＲＡに生じるであろう温度ムラ及び気流溜まりのいずか一方を予測してもよい。
【０１２６】
（ｆ）
上記第３実施形態では、図１３に示されるように、室内機２０２ａの空調能力が不足していることがメッセージで表示された場合について記載した。しかし、空調能力不足の報知方法は、これに限定されない。その他の空調能力不足の報知方法としては、能力不足である室内機を示すアイコンを他の室内機のアイコンとは別の色で表示させる方法、ブザー音を出力する方法、及びこれらの組み合わせ等が挙げられる。
【０１２７】
（ｇ）
また、上記第２実施形態では、各サーバＳＡ１〜ＳＡ４のブレードサーバにおけるマイクロプロセッサやメモリ、ＨＤＤ付近の温度、負荷情報、消費電力の情報である温熱情報に基づいて、建物ＲＡ内の温度ムラ及び気流溜まりが予測される場合について説明した。しかし、上記第２実施形態と同様のシステム構成において、監視用コンピュータは、このような温熱情報等に基づいて負荷や発熱量の高いサーバを特定し、特定したサーバＳＡ１〜ＳＡ４に対応する室内機の設定を変更する指示を空調コントローラに送信してもよい。
【０１２８】
また、このような方法においても、監視用コンピュータと空調コントローラとが別々に設けられるのではなく、監視用コンピュータの機能全てを担う空調コントローラのみが設けられても良い。これにより、監視用コンピュータを設けずに済むため、コストを削減することができる。
【産業上の利用可能性】
【０１２９】
本発明に係る空調システムは、空調対象空間に最適な空調環境を提供し、空調対象空間に設置されたサーバ等の熱源の故障や劣化を防ぐという効果を有する。従って、空調システムは、サーバ等の熱源が設置された空調対象空間を空調制御する場合に適用することができる。
【図面の簡単な説明】
【０１３０】
【図１】第１実施形態に係る空調システムの概略構成図。
【図２】建物ＲＡ内における室内機、サーバ及び空調コントローラの配置図。
【図３】サーバの外観図。
【図４】室内機の構成を模式的に示す図。
【図５】空調コントローラの構成を模式的に示す図。
【図６】第１実施形態に係る監視用コンピュータの構成を模式的に示す図。
【図７】第１実施形態に係る空調システムの動作の流れを示す図。
【図８】第２実施形態に係る空調システムの概略構成図。
【図９】第２実施形態に係る監視用コンピュータの構成を模式的に示す図。
【図１０】第２実施形態に係る空調システムの動作の流れを示す図。
【図１１】第３実施形態に係る空調システムの概略構成図。
【図１２】第３実施形態に係る監視用コンピュータの構成を模式的に示す図。
【図１３】空調能力不足である室内機を管理者に知らせるための画面例。
【図１４】第３実施形態に係る空調システムの動作の流れを示す図。
【符号の説明】
【０１３１】
１，１０１，２０１  空調システム
２ａ〜２ｄ，１０２ａ〜１０２ｄ，２０２ａ〜２０２ｄ  室内機
３，１０３，２０３  空調コントローラ
４，１０４，２０４  監視用コンピュータ
５ａ〜５ｄ，２０５ａ〜２０５ｄ  センサ
ＳＡ１，ＳＡ２，ＳＡ３，ＳＡ４    サーバ
３１  室内機用通信部
３２  監視用通信部
３３  操作パネル
３６  記憶部
３７  制御部
４１，１４１，２４１  通信部
４２，１４２，２４２  表示部
４３，１４３，２４３  操作部
４４，１４４，２４４  記憶部
４５，１４５，２４５  制御部
４６，１４６，２４６  予測部
４７，２４７  補正部
４８，１４７，２４８  指示生成部
４９，１４８，２５０  通信制御部
２４９  判断部
【図１】
2010025432.tif 000003
【図２】
2010025432.tif 000004
【図３】
2010025432.tif 000005
【図４】
2010025432.tif 000006
【図５】
2010025432.tif 000007
【図６】
2010025432.tif 000008
【図７】
2010025432.tif 000009
【図８】
2010025432.tif 000010
【図９】
2010025432.tif 000011
【図１０】
2010025432.tif 000012
【図１１】
2010025432.tif 000013
【図１２】
2010025432.tif 000014
【図１３】
2010025432.tif 000015
【図１４】
2010025432.tif 000016